(57)【特許請求の範囲】
【請求項１】
特に二重進行波管増幅器のための電力管理システムであって、前記二重進行波管増幅器は、少なくとも、
・二重進行波管（１０、２４）であって、それぞれが、アノードゼロ（１３）と称される１つのアノード電極を備えている、二重進行波管（１０、２４）と、
・電子電力調整器と
を備え、
前記電力管理システムは、前記電子電力調整器に実装され、そして、前記電力管理システムは、各進行波管（１０、２４）と関連付けられる電力管理手段（２２）を備え、
スリープモードが起動されたときに、前記アノードゼロ（１３）と称されるアノード電極の電圧を所定の最小値に設定するように構成されるとともに、前記電力管理手段は、前記進行波管（１０、２４）の動作電力を名目上の動作範囲よりも低い値に維持している
ことを特徴とする、電力管理システム。
【請求項２】
カソード電流設定手段（２２２）とカソード電流感知手段（２２０）とによって駆動されるカソード電流制御ループ（２２６）をさらに備え、前記カソード電流制御ループ（２２６）は、前記アノードゼロ（１３）と称されるアノード電極の電圧を設定するアノードゼロ駆動モジュール（２２８）を駆動している、請求項１に記載の電力管理システム。
【請求項３】
前記二重進行波管増幅器は、特に、前記スリープモードの起動と同時にＲＦミュートモードを実装することができる線形プレアンプを備えている二重進行波管増幅器である、請求項１または２のいずれか１項に記載の電力管理システム。
【請求項４】
前記アノードゼロ駆動モジュール（２２８）はさらに、調整器（２２８０）を備え、前記調整器（２２８０）の出力部は、共通のエミッタ構成においてベースレジスタ（２２８２）を介してトランジスタ（２２８６）のベースに接続され、そして、前記共通のエミッタ構成のエミッタは、前記スリープモードが起動されたときに、最小カソード電流値Ｉｋｍｉｎを設定する第１のツェナーダイオード（２２８８）を介してコレクタに接続され、それから、前記トランジスタ（２２８６）は、オフモードにおいて飽和される、請求項２または３のいずれか１項に記載の電力管理システム。
【請求項５】
前記スリープモードは、前記カソード電流設定手段（２２２）と関連付けられるスリープモードコマンドスイッチ（２２４）を閉鎖することにより起動され、前記カソード電流設定手段（２２２）は、調節可能な電圧（Ｖｒｅｆ）によって形成される、請求項２〜４のいずれか１項に記載の電力管理システム。
【請求項６】
前記調整器（２２８０）の反応時間よりも長い時定数で、前記電圧基準Ｖｒｅｆの遅い設定を可能にするフィルタリング手段をさらに備える、請求項５に記載の電力管理システム。
【請求項７】
前記フィルタリング手段は、一次フィルタによって形成される、請求項６に記載の電力管理システム。
【請求項８】
前記トランジスタ（２２８６）のコレクタと前記アノードゼロ（１３）と称されるアノード電極の分極レジスタ（３６）との間で直列の第２のツェナーダイオード（２２８４）が、最大電流値ＩｋＭａｘを設定する、請求項４〜７のいずれか１項に記載の電力管理システム。
【発明の詳細な説明】
【技術分野】
【０００１】
本発明は、二重進行波管増幅器のための電力管理システムに関する。本発明は、特に、通信衛星に適用する。
【背景技術】
【０００２】
通信衛星は、通常、プラットフォームとペイロードとを備え、後者は、全ての機器、特に、高出力の無線周波数信号（以下、ＲＦ信号と呼ぶ）を生成し地上に伝達するように意図された全てのデバイスを含む。異なる公知の技術が、高出力のＲＦ信号を伝達するために用いられる。
【０００３】
第一の技術は、固体技術に基づいており、通常、ＳＳＰＡと呼ばれる固体電力増幅器を含む。ＳＳＰＡは、特に、通常要求されるレベルのＲＦ電力を管理することができないという欠点がある。
【０００４】
第二の技術は、進行波管増幅器（以下、ＴＷＴＡと呼ぶ）の使用に基づいている。ＴＷＴＡは、特に、進行波管（以下、ＴＷＴと呼ぶ）を備えている。通信衛星のペイロードは、近年、ＴＷＴＡを広範囲にわたって使用している。ＴＷＴＡは、高出力のＲＦ伝達チャネルに対して特に効果的なデバイスであり、非常に高いレベルの伝達されたＲＦ出力を管理することができる。ＴＷＴＡは、チューブベースの技術に依存しており、チューブベースの技術は、製造レベルに関してだけでなく、電気インターフェースの精度に関しても非常に正確なチューニングを必要とする。ＴＷＴは、図１を参照して以下でさらに詳細に記述されるが、基本的には、ＲＦ入力部と、ＲＦ出力部と、へリックスと、電子ビームを形成する電子を放射するカソードを備える電極と、電子ビームの焦点を合わせる、通常「アノードゼロ」または「アノード０」と呼ばれるアノードと、複数のコレクタとを備えている。通常、カソードの電流は、「プッシング係数」と通常呼ばれている係数を介してアノードゼロの電圧と関連付けられる。アノードゼロは、以下では、アノードゼロ電極とカソードとの間の電位差と呼ばれることがある。しかしながら、当業者は、へリックス電位またはその他の基準電位を参照してアノードゼロ電圧を考慮することによって本発明を同様に実施することができ得ることを理解する。
【０００５】
ＴＷＴＡは、通常、電子電力調整器（以下、ＥＰＣと呼ぶ）と関連付けられるＴＷＴを備え、ＥＰＣの目的は、要求された電気的動作条件をＴＷＴに供給し、要求されたレベルの電力を電源からＴＷＴに送ることである。ＥＰＣは、通常、一次バスを介してエネルギーを供給されるＤＣ−ＤＣ電力変換器であり、ＴＷＴに備えられている電極のそれぞれにおいて要求された電圧レベルを生成し、ＴＷＴの性能、すなわち、その線形性や、電力伝達の効率および安定性を確実にすることを可能にする精度レベルを有する。
【０００６】
さらに詳細には、線形化ＴＷＴＡを意味するＬＴＷＴＡと呼ばれる公知のＴＷＴＡが存在し、線形化ＴＷＴＡは、さらに、ＴＷＴのＲＦ入力部を用いてＲＦ信号レベルを調節し、特にＴＷＴによってもたらされるスプリアスの非線形性現象に対する補償を提供することを目的とする追加の線形化プレアンプを備えている。
【０００７】
二重ＴＷＴＡは、本質的には１つのＥＰＣによって駆動される２つのＴＷＴからなる特定のＴＷＴＡである。そこで、ＴＷＴは、同時に使用されたり、独立して使用されたりし得るか、またはより高い出力の出力ＲＦ信号を提供するようにＲＦと組み合わされ得る。したがって、二重ＴＷＴＡは、以下の副次機能の集合体と考えられ得る。
・２つの独立したチャンネルを介してＤＣ電力をＲＦ信号に伝達することを目的とする２つのＴＷＴ。
・両方のＴＷＴに対する、電力供給と電極分極とを提供することを目的とする１つのＥＰＣ。
【０００８】
同様に、上記の副次機能だけでなく、両方のＴＷＴのそれぞれの入力に対するＲＦ信号を調節し、その線形性の誤差に対する補償を提供することを目的とする２つの線形化プレアンプも備えている二重ＬＴＷＴＡが存在する。
【０００９】
二重ＴＷＴＡの１つの重大な欠陥は、第２のＴＷＴのターンオン管理にあり、実際には、ＴＷＴ電子ビームのあらゆるピンボケを回避するために、特定のカソード温度に到達したときにだけ、高い電圧が印加される。したがって、二重ＴＷＴＡに対するＥＰＣは、通常、カソードの予備加熱段階を管理するための手段を備えている。したがって、第２のＴＷＴのターンオンにおいて、第１のＴＷＴを通過するチャネルは、第２のＴＷＴカソードが動作温度に到達する時間の間、遮断される。第２のＴＷＴカソードが動作温度に到達する時間は、約数分であり得る。したがって、この現象は、トラフィックの遮断を意味し、トラフィックの遮断は、衛星チャネルの動作性という点でオペレータの要求と抵触する。
【００１０】
上記の欠点を軽減することを目的とした１つの既存の解決策が、ＬＴＷＴＡに実装され得、基本的には、衛星の任務の間、非常に早く第２のＴＷＴをターンオンすることにより、第２のＴＷＴが実際には動作に使用されていない間すべてにおいて、第２のＴＷＴを「非駆動」動作モードにすることからなる。「非駆動」動作モードは、「ＲＦミュート」モードとも呼ばれ得、線形化プレアンプを介して管理される。「ＲＦミュート」モードは、本質的には、ＲＦ信号がＴＷＴを介して伝えられないモードである。この解決策は、衛星のペイロードに不利益をもたしており、このことは、特に、不要な電力消費と関連の熱管理の制約とによって引き起こされる。確かに、第１のＴＷＴが動作されている間、使用されていない第２のＴＷＴは、非駆動モードで動作されているが、それでもやはり、第２のＴＷＴは、ＤＣ電力を消費し、熱を放散し続けている。
【００１１】
他の１つの既存の解決策は、本質的には、ＥＰＣの電力適応機能を使用することからなり、ＥＰＣの電力適応機能は、本質的には、カソード電流を調節することにより、最適な動作点または飽和点を設定することによってＴＷＴの電力を適応させることからなる。このような解決策は、出力電力コマンドを最小に設定すること、すなわち、典型的には、出力電力コマンドを３ｄＢに減衰することを可能にする。これはまた、本発明の目的によって提案されている程度にまで電力を減少させることを可能にはしていない。
【発明の概要】
【課題を解決するための手段】
【００１２】
本発明の１つの目的は、二重進行波管増幅器または二重ＴＷＴＡが、２つのＴＷＴを独立して動作させているときに、あらゆるトラフィックの妨害を防ぎながら、全体的なペイロードの電力消費に大きな影響を与えない電力管理システムを提案することによって、少なくとも上記の欠点を軽減することである。
【００１３】
本発明のさらなる１つの利点は、本発明が、費用がかからず、重さのほとんどないデバイスを介して実装されるので、衛星のペイロードに大きな影響を与え得ないことである。
【００１４】
本発明のさらなる１つの利点は、本発明が、ＴＷＴの耐久性に影響を与えないことである。
【００１５】
その目的のために、本発明は、特に二重進行波増幅器のための電力管理システムを提案し、その二重進行波管増幅器は、少なくとも２つの進行波管と電子電力調整器とを備え、各進行波管は、１つのアノードゼロ電極を備え、電力管理システムは、前記電子電力調整器に実装され、そして、電力管理システムは、各進行波管と関連付けられる電力管理手段を備え、スリープモードが起動されているときにアノードゼロ電極の電圧を所定の最小値に設定するように構成されており、電力管理手段は、進行波管が通常の動作範囲よりも低い値の電力で動作するのを維持していることを特徴とする。
【００１６】
本発明の例示的な実施形態において、以下の電力管理システムはさらに、カソード電流設定手段とカソード電流感知手段とによって駆動されるカソード電流制御ループを備え得、カソード電流管理ループは、アノードゼロ電圧を設定するアノードゼロ駆動モジュールを駆動している。
【００１７】
本発明の例示的な実施形態において、二重進行波管増幅器は、特に線形プレアンプを備えている二重進行波管増幅器であり得、その線形プレアンプは、前記スリープモードの起動と同時にＲＦミュートモードを実装することができる。
【００１８】
本発明の例示的な実施形態において、前記アノードゼロ駆動モジュールはさらに、調整器を備え得、その調整器の出力部は、共通のエミッタ構成においてベースレジスタを介してトランジスタの基部に接続され、そのエミッタは、前記スリープモードが起動されたときに最小のカソード電流値を設定する第１のツェナーダイオードを介してコレクタに接続され、そこで、そのトランジスタは、オフモードにおいて飽和される。
【００１９】
本発明の例示的な実施形態において、前記スリープモードは、前記カソード電流設定手段と関連付けられるスリープモードコマンドスイッチを閉鎖することによって起動され得、カソード電流設定手段は、調節可能な電圧によって形成される。
【００２０】
本発明の例示的な実施形態において、電力管理システムはさらに、フィルタリング手段を備え得、そのフィルタリング手段は、調整器の反応時間よりも長い時定数で、電圧基準の遅い設定を可能にする。
【００２１】
本発明の例示的な実施形態において、前記フィルタリング手段は、一次フィルタによって形成され得る。
【００２２】
本発明の例示的な実施形態において、第２のツェナーダイオードは、トランジスタコレクタとアノードゼロの分極レジスタとの間に直列に配置され、最大の電流値を設定し得る。
【００２３】
本発明は、１つのＴＷＴ、すなわち、各ＴＷＴの電流消費を独立して表すカソード電流を、制限されていない最小レベルに設定することを提案する。本記載の明確性の目的のために、前記制限されていない最小レベルと関連付けられるＴＷＴの動作モードは、スリープモードと呼ばれる。ＲＦミュートモードとともに使用される場合、スリープモードは、ＲＦチャネルが動作していないＴＷＴによって、大量の電力消費を抑えることを可能にする。
【００２４】
そのために、本発明は、適切な電子回路網を介して、ＥＰＣの中に電力管理システムを実装することを目的とし、その適切な電子回路網は、ＴＷＴが動作していない時に、ゼロに下げることなく、ＴＷＴ消費を最小にするために、そして、要求されたときに調整に関する適切なリターンを管理するためにカソード電流制御ループを飽和させることを可能にする。
【００２５】
本発明の、これらの特徴や他の特徴、およびこれらの利点や他の利点が、添付の図面とともに、例示的かつ非限定的な例としてのみ提供される、以下で与えられる好適な実施形態の詳細な記述を鑑みて明らかになる。
【図面の簡単な説明】
【００２６】
【図１】図１は、先行技術において公知の典型的なＴＷＴを示す透視図である。
【図２】図２は、本発明の例示的な実施形態に従った電力管理システムを示す機能的ブロック図である。
【図３】図３は、本発明の例示的な実施形態に従った電力管理システムを示す簡略化された電気回路図である。
【発明を実施するための形態】
【００２７】
図１は、先行技術において公知の典型的なＴＷＴを示す透視図を表す。ＴＷＴは、ＴＷＴＡに備えられている重要な要素のうちの１つである。
【００２８】
ＴＷＴ１０は、基本的には、細長い真空管であり、その細長い真空管は、無線周波数入力部１２と、無線周波数出力部１４と、カソード１５とを備え、カソード１５は、アノードゼロ１３によって焦点を合わされ調節される電子ビーム１７を生成する電子銃を形成し、電子ビーム１７は、複数のコレクタ１９までへリックス１８を通過する。
【００２９】
カソード１５は、加熱され、その端のうちの一方において電子を放出する。焦点を合わされた電子ビーム１７として電子を含むように、磁界が、実質的にヘリックス１８の周りで生成される。電子ビームは、ヘリックス１８の中央軸に沿って通過する。ヘリックス１８は、ＲＦ入力部１２からＲＦ出力部１４まで延びている。電子ビーム１７は、最終的には、コレクタ１９に当たる。ＲＦ信号は、電子ビーム１７の速度に近い速度でヘリックス１８に沿って進む。増幅効果は、量子現象を介して、ヘリックス１８においてＲＦ信号によって誘発される電磁界と、電子ビーム１７との間で相互作用することによるものである。エネルギーの点でＴＷＴの収率を改善する、すなわち、電子ビーム１７の端において依然として利用可能なエネルギーのリサイクルを最適化する目的のために、複数のコレクタ１９、典型的には、４つ、または５つのコレクタ１９が、利用され得る。
【００３０】
ＴＷＴＡは、通常、追加の電子電力調整器（以下、ＥＰＣと呼ぶ）と関連付けられるＴＷＴを備え、ＥＰＣの目的は、要求された電気的動作環境をＴＷＴに供給することである。ＥＰＣは、通常、バスを介してエネルギーを供給されるＤＣ−ＤＣ電力変換器であり、ＴＷＴに備えられている電極のそれぞれにおいて要求された電圧供給レベルを生成し、ＴＷＴの周波数性能、すなわち、電力伝達の効率および安定性を確実にすることを可能にする精度レベルを有する。特に、ヘリックス１８とカソード１５との間の高い電圧は、十分に正確なものである。なぜならば、その電圧が、ＴＷＴの性能を決定しているからである。確かに、ヘリックス、すなわちカソード電圧に関して、数キロボルトにまで上昇する電圧に対して、約１ボルトの精度が、必要とされる。たとえば、Ｋｕバンドの範囲内での用途に対して、ヘリックスとカソードの間で要求される電圧は、典型的には、約６キロボルトから７．５キロボルトである。前記電圧レベルの制御が、ＥＰＣによって管理される。
【００３１】
アノードゼロ１３または「アノード０」と呼ばれる電極は、カソード１５によって生成された電子ビーム１７を制御することを可能にする。
【００３２】
図２および図３を参照して以下でさらに詳細に記載される電力管理システムは、調整手段によってもたらされる制御コマンドを介して、各ＴＷＴの「アノード０」に働きかけることを提案する。動作させられる必要のないＴＷＴは、完全にはターンオフされないが、その電子ビームは、最小に設定される。このことは、言い換えれば、ＴＷＴによって消費される電力を最小にまで減らすことに対応する。各ＴＷＴは、調整手段と関連付けられる。スリープモードにおいて、電力管理システムの調整手段は、調整手段を飽和させることにより、カソード電流を非常に低いレベルにするように、各ＴＷＴのアノードゼロを調整し得る。したがって、ＲＦミュートモードと関連付けられる本発明は、典型的には、不使用のＴＷＴの電力消費を少なくとも９０％減少させることを可能にし、そうしなければ、不使用のＴＷＴは、無駄に電力を消費する。
【００３３】
本明細書に記述される本発明の実施形態のうちの１つに従った電力管理システムにより、カソードの加熱は、ほんのわずかなままであり、依然として流れている小さなカソード電流が、カソードの表面の劣化を回避することが理解される。したがって、電力管理システムによって駆動されるＴＷＴの耐久力が維持され得る。
【００３４】
図２は、本発明の例示的な実施形態に従った電力管理システムを示す機能的ブロック図を表す。
【００３５】
図に例示された非限定的な例において、電力管理システムは、二重ＴＷＴＡのＥＰＣの中に実装され得、そして、一次電力制御手段２０を備え、一次電力制御手段２０は、高電圧生成手段２１を駆動し、電力管理手段２２を介してＴＷＴ２４と相互作用する。より良い明確性の目的のために、１つの電力管理手段２２だけが、図に示されているが、両方のＴＷＴ２４が、それら自体の電力管理手段２２と関連付けられる。
【００３６】
一次電力制御手段２０は、一次電力バスから一次電力を受け取る。たとえば、一次制御手段は、動力電池を備え、その動力電池は、入れ子式の２つのループ、電流感知手段によって駆動される１つの電流制御ループと、電圧制御ループとを介して電力調整を確実にする。次に、一次電力制御手段２０は、高電圧生成手段２１を提供する。たとえば、高電圧生成手段２１は、多段式高電圧変圧器を備えている。多段式高電圧変圧器はさらに、整流器およびフィルタと関連付けられ得る。高電圧生成手段２１に備えられている多段式高電圧変圧器は、進行波管２４によって要求される高電圧を生成することを可能にする。特に、多段式器高電圧変圧器は、ヘリックス、すなわちカソードサプライを生成し得、そして、カソード電流は、アノードゼロ１３の分極によって制御され得る。
【００３７】
電力管理手段２２は、カソード電流感知モジュール２２０と、カソード電流基準設定モジュール２２２とを備え得、カソード電流感知モジュール２２０とカソード電流基準設定モジュール２２２とは、カソード電流制御ループ２２６を駆動している。カソード電流感知モジュール２２０は、典型的には、カソード電流に起因する電圧を測定し得る。カソード電流制御モジュール２２６とカソード電流感知モジュール２２０とは、ＴＷＴ２４のアノードゼロＡ０に出力されるアノードゼロ駆動モジュール２２８を駆動し得る。スリープモードコマンドスイッチ２２４は、カソード電流基準設定モジュール２２２を短絡し得、そして、たとえば、衛星搭載の通信データバスを介して遠隔で送信された適切なメッセージによって駆動される。
【００３８】
有利なことに、アノードゼロ駆動モジュール２２８はさらに、区切り手段を備え得、その区切り手段は、所定の、最小値ｉｋｍｉｎと最大値ｉｋＭａｘとの間にカソード電流ｉｋを設定することによって、アノードゼロ電圧、そして続いて、カソード電流ｉｋをそれぞれ、最小化すること、および／または最大化することを可能にする。電力管理手段２２のさらに詳細な実施形態が、図３を参照することによって本明細書に記載される。
【００３９】
図３は、本発明の例示的な実施形態に従った電力管理システムを示す簡略化された電気回路図を表す。
【００４０】
高電圧生成手段２１は、その入力部において、高電圧変圧器を備え得、その高電圧変圧器は、１つの一次巻き線２１０と１つの二次巻き線２１１とを備えている。二次巻き線２１１は、全波ブリッジ整流回路に直接的に経路を定められ得、全波ブリッジ整流回路は、たとえば、ダイオードブリッジ２１２と並列コンデンサ２１３とを備え、ブリッジ整流回路は、カソード電流をカソードＫに送達している。例示的な実施形態として図３に例示されているように、アノードゼロ駆動モジュール２２８は、調整器２２８０を備え得、その出力部は、送達手段２２８６に接続されている。調整器２２８０は、たとえば、高利得増幅器であり得る。たとえば、送達手段２２８６は、共通のエミッタ構成においてトランジスタによって形成され得、送達手段２２８６の基部は、ベースレジスタ２２８２を介して分極される。図２を参照して上で言及された区分け手段は、送達手段２２８６に取り付けられ得る。たとえば、区分け手段は、送達手段２２８６と並列に、すなわち、例示された例においてトランジスタのコレクタとエミッタとの間に配置された第１のツェナーダイオード２２８８と、トランジスタのコレクタと直列の第２のツェナーダイオード２２８４とによって、アノードゼロＡ０電極の分極抵抗器３４と直列に形成され得る。たとえば、保護レジスタ３６は、たとえば、ＴＷＴのピンボケの場合においてアノードゼロ電流を制限するようにアノードゼロと直列に実装され得る。調整器２２８０の入力部におけるカソード電流基準設定モジュール２２２は、たとえば、ツェナーダイオードによって示される調節可能な基準電圧Ｖｒｅｆによって形成され得る。
【００４１】
スリープモードコマンドが、送信されたとき、すなわち、スリープモードコマンドスイッチ２２４が、閉じられたとき、カソード電流基準設定モジュール２２２は、短絡され、調整器２２８０は、カソード電流をゼロに減らす結果となる。言い換えると、調整器２２８０は、低い飽和動作点にある。このように、トランジスタ２２８６は、飽和され、オープン整流器として振る舞う。したがって、第１のツェナーダイオード２２８８は、トランジスタ２２８６のコレクタ−エミッタ電圧を固定し、したがって、ツェナーダイオード２２８８は、最小アノードゼロ電圧を固定する。アノードゼロは、カソード電流Ｉｋも決定しているので、後者は、この状況において、最小値Ｉｋｍｉｎに設定されるが、基準設定Ｉｋｓｅｔｔｉｎｇは、ヌルであり、スリープモードコマンドスイッチ２２４は、閉じられる。続いて、調整器２２８０は、低い飽和点の状態のままであり、電力管理手段２２も、概して、低い飽和点の状態にあると考えられ得る。しかしながら、スリープモードにおいてさえも、カソード電流は、決して実際にはヌル値に減らされない。このことは、ＴＷＴが、通常の動作範囲よりも低い電力において動作中のまま維持され、そのカソードが、通常の動作温度で維持されることを意味する。したがって、ＴＷＴの完全な切断の場合に要求されるような初期化段階と予備加熱段階の実行を必要とせずに、ＴＷＴを、必要な場合にすぐに利用できるようにすることが可能となる。
【００４２】
通常の動作におけるときに、電力管理手段２２は、飽和されず、アノードゼロ電圧は、ＴＷＴ２４の要求された出力レベルに対応する中間値を有する。確かに、スリープモードコマンドスイッチ２２４が、開いているときには、図によって例示された例における基準電圧Ｖｒｅｆの値が、カソード電流感知モジュール２２０を介したカソード電流Ｉｋの測定に由来する電圧値を決定する。そのような場合において、調整器２２８０は、基準電圧Ｖｒｅｆと等しい、カソード電流感知モジュール２２０によって測定された電圧を維持するように動作する。そのために、アノードゼロが、要求されたカソード電流Ｉｋを提供するように進行波管に対して要求された値で分極されるように、ベースレジスタ２２８２は分極され、次に、電力管理手段２２は、調整ループとして働く。
【００４３】
第２のツェナーダイオード２２８４は、有利な実施形態において使用され得、そして、最大のアノードゼロ電圧Ａ０に加えて最大のカソード電流値ＩｋＭａｘも設定することを可能にする。通常の動作において、トランジスタ２２８６は、電力管理手段２２によって形成される調整ループを維持するために飽和されないことが理解される。したがって、動作の限界は、スリープモードの間のオフモード、またはオンモードのいずれかにおいて飽和されたトランジスタ２２８６の整流によって決定される。後者のモードは、カソード電流の最大値ＩｋＭａｘを決定している。
【００４４】
スリープモードを終了するときには、管を損傷する可能性の高い高増幅発振のあとに、調整器が、最適な動作点を回復することを防ぐために、たとえば、Ｖｒｅｆ設定を介してカソード電流基準の設定の変化を適切に制御することが、特に有利であることも理解される。有利なことに、フィルタリング手段は、電圧基準Ｖｒｅｆが、ゆっくりと動作値に到達すること、すなわち、調整器２２８０の反応時間よりも遅く動作値に到達することを可能にすることにより、調整器２２８０が基準設定に適切に従い、そして、望ましくないオーバテイクや発振を伴うことなく、要求された値に適切に安定し得るように提案され得る。たとえば、一次フィルタが、調整器２２８０の反応時間よりもかなり高い時定数で使用され得る。
【００４５】
有利なことに、スリープモードコマンドと並行して、ＲＦミュートモードが、ＲＦ信号の遮断を目的として、ＲＦ信号線形化プレアンプに送信され得るコマンドを介して起動され得、このコマンドは、通常、「ブランキング」コマンドと呼ばれる。
【符号の説明】
【００４６】
１０  進行波管
１２  無線周波数入力部
１３  アノードゼロ
１４  無線周波数出力部
１５  カソード
１７  電子ビーム
１８  へリックス
１９  コレクタ
２０  一次電力制御手段
２１  高電圧生成手段
２２  電力管理手段
２４  進行波管
３４  分極抵抗器
３６  分極レジスタ
２１０  一次巻き線
２１１  二次巻き線
２１２  ダイオードブリッジ
２１３  並列コンデンサ
２２０  カソード電流感知手段
２２２  カソード電流設定手段
２２４  スリープモードコマンドスイッチ
２２６  カソード電流制御ループ
２２８  アノードゼロ駆動モジュール
２２８０  調整器
２２８２  ベースレジスタ
２２８４  ツェナーダイオード
２２８６  トランジスタ
２２８８  ツェナーダイオード
【図１】
0005884236.tif 000002
【図２】
0005884236.tif 000003
【図３】
0005884236.tif 000004